(57)【要約】【課題】従来に比べて対象者の不快感が少なく、睡眠時の呼吸状態の評価を行うためのデータを簡易に収集できるデータ収集システム、呼吸評価システム、呼吸評価方法、及びプログラムを提供する。【解決手段】データ収集システム１は、対象者９の睡眠時の呼吸状態を評価するためのデータを収集する。データ収集システム１は、対象者９に取り付けられる収集装置１１と、対象者９に取り付けられて対象者９の呼吸音を集音し、集音した呼吸音に応じた信号である呼吸音信号をＳ２収集装置１１へ出力する集音装置１２と、を備える。収集装置１１は、対象者９の動きの加速度に応じた信号である加速度信号Ｓ１を生成する加速度センサ１１１と、加速度信号Ｓ１を加速度データとして記憶し、呼吸音信号Ｓ２を呼吸音データとして記憶するコントローラ１１２と、を有する。【選択図】図１
2019063200.tif 000002
【特許請求の範囲】
【請求項１】
対象者の睡眠時の呼吸状態を評価するためのデータを収集するデータ収集システムであって、
前記対象者に取り付けられる収集装置と、
前記対象者に取り付けられて前記対象者の呼吸音を集音し、集音した前記呼吸音に応じた信号である呼吸音信号を前記収集装置へ出力する集音装置と、を備え、
前記収集装置は、
前記対象者の動きの加速度に応じた信号である加速度信号を生成する加速度センサと、
前記加速度信号を加速度データとして記憶し、前記呼吸音信号を呼吸音データとして記憶するコントローラと、を有する
ことを特徴とするデータ収集システム。
【請求項２】
前記加速度センサは、３軸の加速度センサであることを特徴とする請求項１記載のデータ収集システム。
【請求項３】
前記集音装置は、
前記呼吸音を集音するマイクロホンと、
前記マイクロホンを前記対象者の咽喉に取り付ける取付部と、を備える
ことを特徴とする請求項１または２記載のデータ収集システム。
【請求項４】
対象者について睡眠時の呼吸状態の評価を行う呼吸評価システムであって、
請求項１乃至３のいずれか一項に記載のデータ収集システムと、
前記加速度データ及び前記呼吸音データに基づいて、対象者の睡眠時の呼吸状態を評価する解析システムと、を備える
ことを特徴とする呼吸評価システム。
【請求項５】
前記解析システムは、
前記加速度データに基づいて、前記対象者の呼吸運動に異常呼吸があるか否かを判定する第１判定部と、
前記加速度データに基づいて、前記対象者の体位を判定する第２判定部と、
前記呼吸音データに基づいて、前記呼吸運動に前記異常呼吸があるか否かを判定する第３判定部と、
前記第１判定部、前記第２判定部、及び前記第３判定部の各判定結果に基づいて、前記対象者の睡眠時の前記呼吸状態を評価する評価部と、を備える
ことを特徴とする請求項４記載の呼吸評価システム。
【請求項６】
前記第２判定部は、前記加速度データに基づいて、前記対象者が覚醒状態であるか否かをさらに判定し、
前記評価部は、前記対象者が覚醒状態である期間に対応する前記第１判定部及び前記第３判定部の各判定結果を、前記呼吸状態の評価に用いない
ことを特徴とする請求項５記載の呼吸評価システム。
【請求項７】
対象者の動きの加速度のデータである加速度データ、及び前記対象者の呼吸音のデータである呼吸音データを収集するデータ収集ステップと、
前記加速度データ及び前記呼吸音データに基づいて、対象者の睡眠時の呼吸状態を評価する解析ステップと、を備える
ことを特徴とする呼吸評価方法。
【請求項８】
コンピュータシステムに、請求項７記載の呼吸評価方法を実行させることを特徴とするプログラム。
【発明の詳細な説明】
【技術分野】
【０００１】
本発明は、データ収集システム、呼吸評価システム、呼吸評価方法、及びプログラムに関する。
【背景技術】
【０００２】
従来、睡眠時無呼吸症候群（SAS：Sleep Apnea Syndrome）の検査を行うために、例えば特許文献１の検査装置（従来の検査装置）が提案されている。
【０００３】
この従来の検査装置は、対象者の顔面に装着されるハウジングを備えており、ハウジング内には、２つの光センサと、気流センサとを備えている。光センサは、対象者の顔面内の血量を検出して、心拍数、脈拍数、血液酸素飽和データ、及びフォトプレチスモグラフィデータなどの生理学的データを収集する。気流センサは、対象者の呼吸の際の気流などの生理学的データを収集する。そして、コンピュータが、上述のように収集された生理学的データから、異常な呼吸イベントを識別している。
【先行技術文献】
【特許文献】
【０００４】
【特許文献１】特表２０１６−５０４０６４号公報
【発明の概要】
【発明が解決しようとする課題】
【０００５】
従来の検査装置では、人間の顔面にハウジングを装着する必要があり、対象者にはハウジングの装着による不快感があった。また、対象者には、気流センサによる鼻孔の不快感もあった。したがって、睡眠中の対象者が、不快感などによって無意識に顔からハウジングを取り外し、睡眠時の呼吸状態の評価を行うためのデータを収集できない可能性があった。
【０００６】
そこで、本発明の目的は、従来に比べて対象者の不快感が少なく、睡眠時の呼吸状態の評価を行うためのデータを簡易に収集できるデータ収集システム、呼吸評価システム、呼吸評価方法、及びプログラムを提供することにある。
【課題を解決するための手段】
【０００７】
本発明の一態様に係るデータ収集システムは、対象者の睡眠時の呼吸状態を評価するためのデータを収集するデータ収集システムである。前記データ収集システムは、前記対象者に取り付けられる収集装置と、前記対象者に取り付けられて前記対象者の呼吸音を集音し、集音した前記呼吸音に応じた信号である呼吸音信号を前記収集装置へ出力する集音装置と、を備える。前記収集装置は、前記対象者の動きの加速度に応じた信号である加速度信号を生成する加速度センサと、前記加速度信号を加速度データとして記憶し、前記呼吸音信号を呼吸音データとして記憶するコントローラと、を有する。
【０００８】
本発明の一態様に係る呼吸評価システムは、対象者について睡眠時の呼吸状態の評価を行う呼吸評価システムである。前記呼吸評価システムは、上述のデータ収集システムと、前記加速度データ及び前記呼吸音データに基づいて、対象者の睡眠時の呼吸状態を評価する解析システムと、を備える。
【０００９】
本発明の一態様に係る呼吸評価方法は、対象者の動きの加速度のデータである加速度データ、及び前記対象者の呼吸音のデータである呼吸音データを収集するデータ収集ステップと、前記加速度データ及び前記呼吸音データに基づいて、対象者の睡眠時の呼吸状態を評価する解析ステップと、を備える。
【００１０】
本発明の一態様に係るプログラムは、コンピュータシステムに、上述の呼吸評価方法を実行させる。
【発明の効果】
【００１１】
本発明では、従来に比べて対象者の不快感が少なく、睡眠時の呼吸状態の評価を行うためのデータを簡易に収集できるという効果がある。
【図面の簡単な説明】
【００１２】
【図１】図１は、実施形態における呼吸評価システムを示すブロック図である。
【図２】図２は、同上の呼吸評価システムのデータ収集システムを示す外観図である。
【図３】図３Ａは、同上のデータ収集システムの集音装置の取り付けを示す図である。図３Ｂは、同上のデータ収集システムの収集装置の取り付けを示す図である。
【図４】図４は、同上のデータ収集システムを示すブロック図である。
【図５】図５Ａは、同上の呼吸評価システムの加速度信号及び加速度パワーを示す波形図である。図５Ｂは、同上の呼吸音信号を示す波形図である。
【図６】図６は、同上の呼吸評価システムの呼吸音信号を示す別の波形図である。
【図７】図７は、同上の呼吸評価システムによる呼吸状態の評価と、睡眠ポリグラフシステムによる呼吸状態の評価とを示すグラフである。
【図８】図８は、同上の呼吸評価システムの第１変形例におけるサウンドスペクトログラムを示す波形図である。
【図９】図９は、同上の呼吸評価システムの第２変形例を示すブロック図である。
【発明を実施するための形態】
【００１３】
本実施形態は、データ収集システム、呼吸評価システム、呼吸評価方法、及びプログラムに関する。より詳細には、本実施形態は、睡眠時の呼吸状態を評価するためのデータ収集システム、呼吸評価システム、呼吸評価方法、及びプログラムに関する。
【００１４】
以下に説明する呼吸評価システムは、呼吸による人の動き及び呼吸音に基づいて睡眠時の呼吸状態を評価する。本実施形態において睡眠時の呼吸状態の評価とは、睡眠時無呼吸症候群（SAS）に関する評価である。以下、呼吸状態の評価の対象となる人を、対象者と称す。
【００１５】
近年、睡眠時無呼吸症候群による弊害が問題になっている。睡眠時無呼吸症候群は睡眠呼吸障害であり、睡眠呼吸障害には、閉塞性無呼吸、中枢性無呼吸、閉塞性無呼吸及び中枢性無呼吸のハイブリッドがある。閉塞性無呼吸は、上気道が炎症、腫瘍、肥満、顔面骨格などにより狭くなることまたは閉塞することによって発生する。中枢性無呼吸は、脳の信号伝達に問題があり、脳が一瞬の間「呼吸をせよ」というメッセージを筋肉に送り損なうことによって発生する。
【００１６】
さらに、睡眠時無呼吸症候群では、上気道が閉塞して息が吸えない無呼吸、上気道が狭くなって息が吸いにくい低呼吸、またはいびきが発生する。そして、本実施形態では、無呼吸及び低呼吸を異常呼吸と呼ぶ。そして、１０秒以上の異常呼吸（無呼吸及び低呼吸）が１時間に発生する回数を無呼吸低呼吸指数（ＡＨＩ：Apnea Hypopnea Index）という。ＡＨＩが５以上であれば睡眠時無呼吸症候群の可能性があると判断され、日本においてＡＨＩが２０以上である人は医療機関での治療の対象となる。しかしながら、小児を対象とするＡＨＩによる睡眠時無呼吸症候群の評価基準は確立されておらず、小児の睡眠時無呼吸症候群の評価に対する医学的なエビデンスが望まれている。
【００１７】
人は、覚醒しているときには気道周囲の筋肉の緊張が保たれており、無呼吸になり難い。一方、人は、睡眠中に筋肉の緊張が緩んで、気道が閉塞し、異常呼吸になり易くなる。この場合、睡眠中の人は、換気をできなくなるために、寝息すら発しないことがある。そして、睡眠時無呼吸症候群を治療しないで放置すると、高血圧、糖尿病、心筋梗塞、脳卒中などの危険性が高まる。
【００１８】
睡眠時無呼吸症候群の主な症状としては、以下の症状がある。
・大きないびきをかく。
・睡眠時呼吸が苦しそう。
・息が苦しくて目が覚める。
・朝起きたときに頭痛がある。
・昼間に強い眠気を感じる。
【００１９】
上述のような症状がある人は、睡眠時無呼吸症候群の診断を受けることが好ましい。また、特に小児、及びバス、トラックなどの運転手は、睡眠時無呼吸症候群の診断を受ける必要性が高い。例えば、小児は、睡眠時無呼吸症候群によって、注意力不足、集中力不足、攻撃性、学習障害、発育不良、うつなどの症状を引き起こす場合がある。
【００２０】
従来、睡眠時無呼吸症候群の診断では、例えば対象者が病院などの医療機関に入院し、精密検査を受ける。精密検査では、睡眠ポリグラフ検査などが行われ、例えば多数のセンサによって対象者の脳波、眼球運動、筋電図、鼻口気流、胸郭・腹壁呼吸運動、心電図、酸素飽和度などを計測する多チャンネル同時計測が行われる。そして、この計測結果に基づいて診断が行われる。しかし、この多チャンネル同時計測による診断は、プロセスが煩雑であり、かつ診断に要する費用が高かった。また、睡眠時無呼吸症候群の疑いがある全ての人を医療機関が精密検査することは困難である。
【００２１】
そこで、診断の前段階のスクリーニング検査（評価）として、対象者の自宅において簡易検査が実施されることが多い。この場合、対象者は、自宅でスクリーニング検査を行い、その結果をＮＰＯ法人または医療機関などが判定する。そして、睡眠時無呼吸症候群の可能性が高い対象者は、医療機関で改めて精密検査を受ける。
【００２２】
スクリーニング検査としては、気流センサまたはパルスオキシメータによって計測を行う方法が広く用いられている。気流センサは、鼻孔カニューラ圧センサまたは感熱式センサであり、呼吸による気流を測定する。パルスオキシメータは、血中の酸素濃度（酸素飽和度）、脈拍数などを測定する。
【００２３】
しかし、気流センサは対象者の鼻孔と口唇の間に設置するため、対象者に不快感を与える可能性が高く、夜間の測定中に対象者が気流センサを無意識に外してしまい、良好な測定ができないことが少なくない。また、パルスオキシメータは、対象者が小児である場合、血中の酸素濃度によって無呼吸状態であるか否かを判定することが困難であった。
【００２４】
そこで、気流センサ及びパルスオキシメータを用いない簡易的なスクリーニング検査として、感圧センサを多数収納したマットを就寝中の対象者の身体の下に設置して、対象者の胸郭の動きを計測することで、睡眠時無呼吸の検査を行う方法が実用化されている。しかし、このマットを用いる方法は、検査装置が大きくなり、検査装置の持ち運びに難点がある。また、対象者が小児である場合、マット上で親が対象者に添い寝をすることがあり、正確な測定を行うことが困難であった。
【００２５】
そこで、本実施形態の呼吸評価システムは、図１、図２に示す構成を備えており、従来に比べて対象者の不快感が少なく、簡易に睡眠時の呼吸状態を評価することができる。図１は呼吸評価システムＡ１のブロック図である。
【００２６】
呼吸評価システムＡ１は、データ収集システム１と、解析システム２とを備える。データ収集システム１は、対象者９について睡眠時の呼吸状態を評価するためのデータ（評価用データ）を収集する。解析システム２は、データ収集システム１が収集した評価用データに基づいて、睡眠時の呼吸状態の評価を行う。
【００２７】
データ収集システム１は、収集装置１１と、集音装置１２とを別体に備える。図２はデータ収集システム１の外観図である。
【００２８】
集音装置１２は、マイクロホン１２１と、取付部１２２とを有している。
【００２９】
マイクロホン１２１は取付部１２２に固定されている。そして、図３Ａに示すように、取付部１２２は対象者９の咽喉９１（例えば、咽喉仏の下方で且つ正中線上の位置）に取り付けられる。取付部１２２は、例えば、対象者９の咽喉９１に貼着可能な粘着テープなどの接着部、対象者９の咽喉９１に吸着可能な吸着部、または対象者９の咽喉９１に嵌め込み可能な嵌め込み部などを有する。また、取付部１２２は、ゴム等の弾性変形可能な樹脂製のアダプターを具備して、アダプターを対象者９の咽喉９１に密着させることで位置決めをしてもよい。なお、取付部１２２の具体的な構造は特定の構造に限定されず、対象者９の咽喉９１に取り付け及び取り外し可能な構造であればよい。
【００３０】
マイクロホン１２１は、ＥＣＭ（Electret Condenser Microphones）などで構成されており、対象者９の気管呼吸音を集音する。マイクロホン１２１は、集音した音を電気信号に変換し、呼吸音信号Ｓ２として信号伝送路１３に出力する。呼吸音信号Ｓ２は、信号伝送路１３を介して収集装置１１に伝送される。また、本実施形態のマイクロホン１２１は直径６ｍｍ程度の円盤形状に形成されているが、マイクロホン１２１の形状及びサイズは特定の形状及びサイズに限定されない。
【００３１】
収集装置１１は、８０ｍｍ×６０ｍｍ×５ｍｍ程度の矩形箱状のケース１１０を備えており、ケース１１０内に加速度センサ１１１、コントローラ１１２、通信インターフェース１１３（以降、通信ＩＦ１１３と称す）を収納している。そして、図３Ｂに示すように、ケース１１０は、ベルト、粘着テープ、または面ファスナなどの少なくとも１つによって、対象者９の胸部９２に取り付けられる。なお、ケース１１０のサイズ及び形状は、対象者９の胸部９２に取り付け可能なサイズ及び形状であればよく、特定のサイズ及び形状に限定されない。
【００３２】
加速度センサ１１１は、ピエゾ抵抗素子または静電容量素子などの検出素子を内蔵した３軸の加速度センサである。加速度センサ１１１は、互いに直交するＸ軸、Ｙ軸、Ｚ軸のそれぞれの方向の加速度に応じた電気信号を生成し、この電気信号を加速度信号Ｓ１として出力する。加速度信号Ｓ１は、Ｘ軸方向の加速度に対応する加速度信号Ｓ１ｘ、Ｙ軸方向の加速度に対応する加速度信号Ｓ１ｙ、Ｚ軸方向の加速度に対応する加速度信号Ｓ１ｚで構成されている。
【００３３】
そして、対象者９の胸郭は呼吸に連動して動き、胸部９２は胸郭に連動して動く。すなわち、対象者９の胸部９２は呼吸に連動して動いている。したがって、対象者９の胸部９２に取り付けられたケース１１０内の加速度センサ１１１は、対象者９の呼吸運動に応じた加速度信号Ｓ１を生成できる。なお、対象者９が横臥している状態では、加速度センサ１１１のＸ軸は対象者９の左右方向に沿い、Ｙ軸は対象者９の身長方向に沿い、Ｚ軸は対象者９の胴体の厚み方向になる。
【００３４】
コントローラ１１２は、ＣＰＵ（Central Processing Unit）、ＭＰＵ（Micro Processing Unit）、またはＤＳＰ（Digital Signal Processer）などのプロセッサ及びメモリを主構成とするコンピュータシステムを備える。そして、コントローラ１１２は、加速度信号Ｓ１及び呼吸音信号Ｓ２を入力されて、データ収集期間（所定期間）の加速度信号Ｓ１及び呼吸音信号Ｓ２を加速度データ及び呼吸音データとして記憶する。すなわち、コントローラ１１２は、加速度データ及び呼吸音データを評価用データとして記憶する。
【００３５】
具体的にコントローラ１１２は、図４に示すように、フィルタ１１２ａ，１１２ｄ、増幅部１１２ｂ，１１２ｅ、ＡＤコンバータ１１２ｃ，１１２ｆ、演算部１１２ｇ、メモリ１１２ｈ、電源回路１１２ｉを備える。なお、演算部１１２ｇ及びメモリ１１２ｈが、上述のコンピュータシステムに相当する。
【００３６】
加速度センサ１１１が生成する加速度信号Ｓ１は、重力加速度、呼吸運動による加速度（呼吸加速度）、心拍にともなう胸壁の動きによる加速度（心拍加速度）、及び体動（寝返りなど）による加速度（体動加速度）の各情報を含んでいる。すなわち、加速度信号Ｓ１には、重力加速度による信号成分として０Ｈｚの直流成分、呼吸加速度による信号成分として０．２−０．６Ｈｚの交流成分、心拍加速度による信号成分として０．８−２．０Ｈｚの交流成分が含まれている。そして、対象者９の呼吸運動は呼吸加速度に対応しているので、加速度信号Ｓ１の０．２−０．６Ｈｚの交流成分（呼吸加速度による信号成分）を解析することで、対象者９の呼吸運動を解析できる。また、就寝中の体動は、呼吸運動及び心拍のように定常的に継続することは少なく、さらに呼吸運動及び心拍に比べて変動幅が大きいので、信号成分の変動継続時間及び変動幅に基づいて、呼吸運動及び心拍による信号成分と区別できる。
【００３７】
そこで、フィルタ１１２ａは、上述の心拍加速度による信号成分を減衰させ、呼吸加速度及び体動加速度による信号成分を残すローパスフィルタまたはバンドパスフィルタで構成される。
【００３８】
増幅部１１２ｂは、フィルタ１１２ａを通過した加速度信号Ｓ１を増幅する。増幅部１１２ｂの増幅度は、加速度センサ１１１の出力レンジ及びＡＤコンバータ１１２ｃの入力レンジなどに応じて設定されている。
【００３９】
Ａ／Ｄコンバータ１１２ｃは、増幅部１１２ｂで増幅された加速度信号Ｓ１をアナログ信号からデジタル信号に変換するＡＤ変換を行い、演算部１１２ｇに出力する。本実施形態のＡ／Ｄコンバータ１１２ｃでは、分解能が１６ビット、サンプリング周波数が１０Ｈｚである。なお、サンプリング周波数は、呼吸加速度による信号成分である０．２−０．６Ｈｚの交流成分を解析するために、５Ｈｚ以上であることが好ましい。また、呼吸運動は微弱なことがあり、呼吸加速度による信号成分は重力加速度による信号成分に比べて著しく小さい場合があるので、分解能は１６ビット以上であることが好ましい。
【００４０】
集音装置１２が出力する呼吸音信号Ｓ２は、気管呼吸音の信号成分として１−２ｋＨｚ程度までの交流成分を含んでいる。そこで、フィルタ１１２ｄは、気管呼吸音による信号成分の残して不要な周波数成分を減衰させるローパスフィルタまたはバンドパスフィルタで構成される。また、気管呼吸音は約５ｋＨｚまでの信号成分を含んでいるが、評価のために必要な帯域は約２ｋＨｚ以下の帯域である。そこで、フィルタ１１２ｄは、２ｋＨｚより高い信号成分を急峻に減衰させるアナログフィルタであることが好ましい。
【００４１】
増幅部１１２ｅは、フィルタ１１２ｄを通過した呼吸音信号Ｓ２を増幅する。増幅部１１２ｅ増幅度は、マイクロホン１２１の出力レンジ及びＡＤコンバータ１１２ｆの入力レンジに応じて設定されている。
【００４２】
Ａ／Ｄコンバータ１１２ｆは、増幅部１１２ｅで増幅された呼吸音信号Ｓ２をアナログ信号からデジタル信号に変換するＡＤ変換を行い、演算部１１２ｇに出力する。本実施形態のＡ／Ｄコンバータ１１２ｆでは、分解能が１６ビット、サンプリング周波数が８ｋＨｚである。なお、気管呼吸音の信号成分として１−２ｋＨｚ程度までの交流成分を解析するためには、サンプリング周波数は５ｋＨｚ以上であることが好ましい。また、Ａ／Ｄコンバータ１１２ｆの分解能は１６ビット以上であることが好ましい。
【００４３】
そして、演算部１１２ｇは、Ａ／Ｄコンバータ１１２ｃからデジタルの加速度信号Ｓ１を受け取り、Ａ／Ｄコンバータ１１２ｆからデジタルの呼吸音信号Ｓ２を受け取る。演算部１１２ｇは時計機能を有しており、加速度信号Ｓ１及び呼吸音信号Ｓ２を受け取った時刻をそれぞれの測定時刻とする。演算部１１２ｇは、測定時刻に対応させた加速度信号Ｓ１を加速度データとしてメモリ１１２ｈに順次格納する。また、演算部１１２ｇは、測定時刻に対応させた呼吸音信号Ｓ２を加速度データとしてメモリ１１２ｈに順次格納する。すなわち、メモリ１１２ｈは、データ収集期間の加速度信号Ｓ１及び呼吸音信号Ｓ２を加速度データ及び呼吸音データとして記憶する。なお、加速度データは、測定時刻に対応させた加速度信号Ｓ１ｘ、測定時刻に対応させた加速度信号Ｓ１ｙ、測定時刻に対応させた加速度信号Ｓ１ｚの各加速度データを含んでいる。
【００４４】
電源回路１１２ｉは、バッテリを内蔵しており、バッテリの電圧を昇圧して制御電圧を生成し、この制御電圧をコントローラ１１２の各部（少なくとも増幅部１１２ｂ，１１２ｅ、ＡＤコンバータ１１２ｃ，１１２ｆ、演算部１１２ｇなど）に供給する。なお、バッテリは、一次電池及び二次電池のいずれでもよく、形状も円筒型、扁平型、シート型、角型などのいずれでもよい。但し、バッテリとしては小型のものが好ましい。また、バッテリの種類は、アルカリ電池、マンガン電池、リチウムイオン電池などのいずれでもよい。また、バッテリとしては、少なくとも対象者９の就寝時間である７〜８時間程度の電力供給能力を有していることが好ましい。なお、バッテリの種類及び形状は特定の種類及び形状に限定されない。
【００４５】
そして、対象者９は、データ収集システム１を身体に取り付けた状態で横臥して就寝し、データ収集システム１は、就寝中の加速度データ及び呼吸音データを評価用データとして収集する。収集された評価用データはメモリ１１２ｈに格納される。メモリ１１２ｈは、最大収集時間（例えば１２―２４時間程度）の評価用データを記憶することができるメモリ容量を有している。また、メモリ１１２ｈは、フラッシュメモリなどのようにデータの消去と書き込みが可能な不揮発性メモリであることが好ましい。
【００４６】
上述のように、データ収集システム１では、収集装置１１と集音装置１２とが分離している。そして、収集装置１１が対象者９の胸部９２に取り付けられて、３軸の加速度センサ１１１が対象者９の呼吸運動に応じた加速度信号Ｓ１を生成する。また、集音装置１２が対象者９の咽喉９１に取り付けられて、対象者９の気管呼吸音を集音した呼吸音信号Ｓ２を生成する。集音装置１２が生成した呼吸音信号Ｓ２は、信号伝送路１３を介して収集装置１１に伝送される。
【００４７】
そして、集音装置１２は、対象者９の顔以外の箇所に取り付けられても、対象者９の気管呼吸音を集音できるので、対象者９の不快感を低減できる。本実施形態では、集音装置１２は、対象者９の顔ではなく、咽喉９１に取り付けられるので、顔にセンサを取り付けられる場合に比べて対象者９の不快感を低減できる。また、評価用データとして加速度データ及び呼吸音データの両方を収集しても、対象者９の負担になりにくく、簡易に睡眠時の呼吸状態の評価を行うことができる。さらに、加速度データ及び呼吸音データの両方を収集するので、対象者９の呼吸状態を評価する際に２つの評価データを用いることができ、呼吸状態の評価精度を十分に維持することができる。
【００４８】
また、信号伝送路１３が有線の伝送路である場合、２線または３線のケーブルによって信号伝送路１３を構成できるので、信号伝送路１３を細くできる。したがって、収集装置１１と集音装置１２との間を接続するケーブル（信号伝送路１３）に対して、対象者９が覚える不快感は低減される。
【００４９】
また、信号伝送路１３が無線の伝送路である場合、電波または赤外線などを利用して呼吸音信号Ｓ２を伝送できるので、信号伝送用のケーブルが不要になる。したがって、収集装置１１と集音装置１２との間を接続するケーブルが不要になり、対象者９が覚える不快感はさらに低減される。
【００５０】
したがって、睡眠時の呼吸状態の評価を行うための評価用データ（加速度データ及び呼吸音データ）を収集する際に、従来に比べて対象者９の不快感が少なくなる。
【００５１】
さらに、データ収集システム１は、収集装置１１を対象者の胸部９２に取り付け、集音装置１２を対象者９の咽喉９１に取り付けるだけで、加速度データ及び呼吸音データを収集できる。したがって、データ収集システム１は、対象者９の自宅などの医療機関以外の場所で評価用データを簡易に収集できるので、評価用データの収集プロセスが簡易になり、より多くの人を対象者９として評価用データを収集できる。すなわち、データ収集システム１は、睡眠時の呼吸状態の評価を行うための評価用データを簡易に収集できる。
【００５２】
また、データ収集システム１は、対象者９が小児であっても、評価用データを簡易に収集でき、データ収集時の不快感を低減させることができる。すなわち、データ収集システム１は、特に小児を対象者９として評価用データを収集する場合により有効である。
【００５３】
なお、集音装置１２、及び加速度センサ１１１は、咽喉９１、及び胸部９２にそれぞれ取り付けられる形態に限定されない。集音装置１２、及び加速度センサ１１１は、対象者９の顔以外の部位のうち、対象者９の加速度データ及び呼吸音データを収集できる部位であればよい。
【００５４】
また、本実施形態では、加速度信号Ｓ１はアナログの電気信号であるが、デジタルの電気信号であってもよい。また、本実施形態では、呼吸音信号Ｓ２はアナログの電気信号であるが、デジタルの電気信号であってもよい。この場合、収集装置１１は、ＡＤコンバータ１１２ｃ，１１２ｆを省略できる。
【００５５】
次に、解析システム２の解析処理について説明する。
【００５６】
解析システム２は、医療機関、ＮＰＯ法人、評価結果をサービスとして提供する法人などの評価施設に設けられている。そして、対象者９の評価用データを収集したデータ収集システム１が、評価施設に持ち込まれて、解析システム２によって対象者９の呼吸状態の評価が行われる。
【００５７】
解析システム２は、ＣＰＵ、ＭＰＵ、またはＤＳＰなどのプロセッサ及びメモリ（２２）を主構成とするコンピュータシステムを備える。そして、解析システム２は、加速度データ及び呼吸音データをデータ収集システム１の収集装置１１から取得して、対象者９について睡眠時の呼吸状態の評価を行う。メモリ（２２）には、プロセッサを解析システム２として動作させるためのアプリケーションのプログラムが記憶されている。そして、プロセッサがこのプログラムを実行することで、コンピュータシステムが解析システム２として動作する。なお、本実施形態において、解析システム２は、モニタ装置、キーボード、マウスなどの入出力装置を備えたパーソナルコンピュータで構成されている。
【００５８】
具体的に解析システム２は、図１に示すように、通信インターフェース２１（以降、通信ＩＦ２１と称す）、メモリ２２、データ処理部２３、第１判定部２４、第２判定部２５、第３判定部２６、評価部２７、通知部２８を備える。
【００５９】
通信ＩＦ２１は、収集装置１１の通信ＩＦ１１３との間で通信経路３を介して信号を授受することができる。通信経路３が有線の通信経路である場合、通信経路３はＵＳＢ（Universal Serial Bus）ケーブル、ＬＡＮ（Local Area Network）ケーブル、または専用通信線などのいずれかで構成され、通信ＩＦ１１３及び通信ＩＦ２１は、有線の通信経路３を介した所定の通信プロトコルに従って互いに通信する。有線通信の仕様は特定の仕様に限定されない。また、通信経路３が無線の通信経路である場合、通信ＩＦ１１３及び通信ＩＦ２１が用いる無線通信の仕様としては、無線ＬＡＮ、Bluetooth（登録商標）などから適宜に選択されればよく、無線通信の仕様は特定の仕様に限定されない。
【００６０】
そして、通信ＩＦ２１は、収集装置１１の通信ＩＦ１１３を介して、メモリ１１２ｈ（図４参照）に記憶されている加速度データ及び呼吸音データを取得し、加速度データ及び呼吸音データはメモリ２２に格納される。
【００６１】
データ処理部２３は、加速度データに基づいて加速度パワーの算出処理を行う。
【００６２】
具体的に、図５Ａに示すように、加速度データは、測定時刻に対応させた加速度信号Ｓ１ｘ、測定時刻に対応させた加速度信号Ｓ１ｙ、測定時刻に対応させた加速度信号Ｓ１ｚの各加速度データを含んでいる。そこで、データ処理部２３は、加速度信号Ｓ１ｘ、加速度信号Ｓ１ｙ、加速度信号Ｓ１ｚのそれぞれについて、一定時間毎（例えば２秒毎）に一定区間のサンプルデータを所定の窓関数によって抽出する。例えば、データ処理部２３は、加速度信号のサンプリング周波数が１０Ｈｚである場合、１２８点のサンプルデータを抽出する。また、窓関数としては、例えばハニング窓が用いられる。なお、図５Ａ、図５Ｂは、メモリ２２に格納されている加速度データ及び呼吸音データのうち２０分間の各データの波形に対応する。
【００６３】
そして、データ処理部２３は、加速度信号Ｓ１ｘ、加速度信号Ｓ１ｙ、加速度信号Ｓ１ｚのそれぞれから抽出したサンプルデータに対して高速フーリエ変換（FFT：Fast Fourier Transform）をそれぞれ行う。データ処理部２３は、サンプルデータにＦＦＴ処理を施した後、呼吸加速度に対応する周波数成分である０．２−０．６Ｈｚのパワースペクトルを、加速度信号Ｓ１ｘ、加速度信号Ｓ１ｙ、加速度信号Ｓ１ｚのそれぞれについて求める。データ処理部２３は、加速度信号Ｓ１ｘ、加速度信号Ｓ１ｙ、加速度信号Ｓ１ｚのそれぞれのパワースペクトルの和を加速度パワーＰｒとして求める。そして、データ処理部２３は、抽出する１２８点のサンプルデータを順次更新して、図５Ａに示す加速度パワーＰｒの時系列データを求める。このとき、データ処理部２３は、加速度パワーＰｒを対数変換して、加速度パワーＰｒの単位をｄＢにしている。さらに、データ処理部２３は、加速度パワーＰｒの時系列データを、ローパスフィルタによって平滑することが好ましい。本実施形態において、このローパスフィルタの遮断周波数は０．０３３Ｈｚであるが、遮断周波数の値は特定の値に限定されない。加速度パワーＰｒには３軸の各加速度の情報が含まれており、対象者９の呼吸運動による胸部９２の上下方向、左右方向、前後方向の各動きが反映されている。
【００６４】
第１判定部２４は、加速度パワーＰｒの時系列データを解析して、対象者９の呼吸運動に異常呼吸があるか否かを判定する。
【００６５】
具体的に、第１判定部２４は、加速度パワーＰｒの波形から、予め決められた異常検出条件に従って、異常呼吸が発生した異常呼吸イベントＤｎを検出する（但し、ｎは正の整数）。本実施形態において、第１判定部２４は、異常検出条件として以下の［条件１］−［条件５］の全てを満たした場合に、異常呼吸イベントＤｎを検出する。なお、以下の［条件１］−［条件５］の各数値は一例であり、特定の値に限定されない。また、異常検出条件は、実際に多数の人から収集されたデータ、及び異常呼吸に関する知見などから適宜決められればよく、その具体的な内容は以下の［条件１］−［条件５］に限定されない。
【００６６】
［条件１］加速度パワーＰｒの下降速度
・例えば、加速度パワーＰｒが２０秒間で３ｄＢ以上、下降する。
【００６７】
［条件２］加速度パワーＰｒが下降し始めてから上昇し始めるまでの時間
・例えば、加速度パワーＰｒが下降を開始してから４０秒以内に上昇を開始する。
【００６８】
［条件３］  加速度パワーＰｒの上昇速度
・例えば、加速度パワーＰｒが、２０秒間で３ｄＢ以上上昇する。
【００６９】
［条件４］  加速度パワーＰｒの下降脚と上昇脚の比
・例えば、加速度パワーＰｒの下降脚と上昇脚の比（上昇脚／下降脚）が３３％−３００％の範囲内である。
【００７０】
［条件５］  互いに隣接する異常呼吸イベントＤｎと異常呼吸イベントＤｎ−１との時間間隔
・例えば、異常呼吸イベントＤｎと異常呼吸イベントＤｎ−１との時間間隔が１５０秒以内である。
【００７１】
すなわち、第１判定部２４は、加速度パワーＰｒが［条件１］−［条件５］の全てを満たすように下降した後に上昇する箇所（加速度パワーＰｒの一過性の低下）を、異常呼吸イベントＤｎとして検出する。図５Ａでは、異常呼吸イベントＤｎとして、９個の異常呼吸イベントＤ１，Ｄ２，Ｄ３，Ｄ５，Ｄ６，Ｄ７，Ｄ８，Ｄ９，Ｄ１０が検出されている。
【００７２】
第２判定部２５は、加速度データに基づいて、対象者９の体位を判定する。
【００７３】
具体的に、第２判定部２５は、Ｚ軸方向の加速度信号Ｓ１ｚの時系列データに基づいて、対象者９の体位を判定する。例えば、第２判定部２５は、加速度信号Ｓ１ｚの時系列データから、横臥している対象者９が仰向き、横向き、うつ伏せなどのいずれの状態であるかを判定できる。すなわち、第２判定部２５は、就寝中の対象者９の体位（仰向き、横向き、うつ伏せなど）を時系列に沿って検出できる。
【００７４】
また、第２判定部２５は、加速度信号Ｓ１ｘ、加速度信号Ｓ１ｙ、加速度信号Ｓ１ｚの少なくとも１つに閾値以上の変化があった場合、対象者９が覚醒したと判定する。したがって、第２判定部２５は、データ収集期間を、対象者９が覚醒している覚醒期間、及び対象者９が就寝姿勢である就寝期間に分けることができる。
【００７５】
第３判定部２６は、呼吸音データに基づいて、対象者９の呼吸運動に異常呼吸があるか否かを判定する。
【００７６】
具体的に、呼吸音データは呼吸音信号Ｓ２の時系列データであり、第３判定部２６は、図５Ｂに示す呼吸音信号Ｓ２の波形から、異常呼吸が発生した異常呼吸イベントＤｍを検出する（但し、ｍは正の整数）。
【００７７】
例えば図６に示す呼吸音信号Ｓ２の波形では、期間Ｔｒにおいて正常な呼吸が行われており、呼気及び吸気が交互に発生することによって、呼吸音信号Ｓ２の音圧は基準レベルＬ１の一方側及び他方側に交互に変化する。一方、呼吸運動が異常呼吸になると、呼吸音信号Ｓ２の音圧は基準レベルＬ１付近で殆ど変化せず、ほぼ一定の値が継続する。呼吸音信号Ｓ２の音圧が基準レベルＬ１付近で殆ど変化しない期間を異常呼吸期間とすると、図６において、比較的長い異常呼吸期間Ｔａは無呼吸状態の期間であり、比較的短い異常呼吸期間Ｔｈは低呼吸状態の期間である。
【００７８】
したがって、第３判定部２６は、呼吸音信号Ｓ２の波形において、予め決められた所定時間以上に亘って閾値以上の音圧変化がなければ、異常呼吸イベントＤｍが発生したと判定する。図５Ｂでは、異常呼吸イベントＤｍとして、１０個の異常呼吸イベントＤ１，Ｄ２，Ｄ３，Ｄ４，Ｄ５，Ｄ６，Ｄ７，Ｄ８，Ｄ９，Ｄ１０が検出されている。
【００７９】
評価部２７は、第１判定部２４、第２判定部２５、及び第３判定部２６の各判定結果に基づいて、対象者９の呼吸状態を評価する。
【００８０】
まず、対象者９が覚醒している期間では異常呼吸の正確なデータを収集できない。そこで、評価部２７は、第２判定部２５の判定結果を参照して、対象者９が覚醒している覚醒期間に判定された異常呼吸イベントＤｎ，Ｄｍを本評価処理に用いない。この結果、評価部２７は、評価精度の向上を図ることができる。
【００８１】
評価部２７は、異常呼吸イベントＤｎ及び異常呼吸イベントＤｍの各検出結果から、ＡＨＩを求める。このとき、評価部２７は、検出時刻が同じ（または、検出時刻の差が所定時間内に収まっている）異常呼吸イベントＤｎ及び異常呼吸イベントＤｍは、同じ異常呼吸イベントとして処理する。また、評価部２７は、ある時刻において第１判定部２４及び第３判定部２６の少なくとも一方が異常呼吸イベントを検出していれば、１回の異常呼吸イベントが発生したと判定する。したがって、評価部２７は、加速度センサ１１１及び集音装置１２のいずれか一方が異常呼吸イベントによる変動を捉えることができなかったとしても、異常呼吸イベントによる変動を捉えた他方が出力する信号によって、異常呼吸イベントを検出できる。異常呼吸イベントによる変動を捉えることができない要因としては、加速度センサ１１１または集音装置１２が対象者９の身体から外れるシステム不良、対象者９の体動の影響、バーストノイズなどが挙げられる。
【００８２】
なお、評価部２７は、ある時刻において第１判定部２４及び第３判定部２６の両方が異常呼吸イベントをそれぞれ検出しているときのみ、１回の異常呼吸イベントが発生したと判定してもよい。
【００８３】
また、評価部２７は、対象者９の体位とＡＨＩとの対応関係を評価することもできる。すなわち、評価部２７は、体位別のＡＨＩを求めることができる。この結果、評価部２７は、異常呼吸が就寝中の体位によるものか否かを判断することができ、異常呼吸の抑制方法として、対象者９にとって有効な就寝中の体位を特定することもできる。
【００８４】
そして、評価部２７は、上述の評価結果を評価者（システム管理者、医療従事者、または対象者９）に通知するための画像データを作成し、画像データを通知部２８に出力する。
【００８５】
通知部２８は、モニタ装置を備えており、評価部２７の評価結果をモニタ装置の画面上に表示する。表示内容は、対象者の時刻毎のＡＨＩ、体位別のＡＨＩ、異常呼吸を抑制するために対象者９にとって有効な就寝中の体位などである。通知部２８は、さらには光、音などを用いて評価結果を示してもよい。なお、通知部２８の表示内容は、上述の内容に限定されず、他の異常呼吸に関する情報を含んでいてもよい。
【００８６】
出願人は、同じ対象者９に対して、呼吸評価システムＡ１による呼吸状態の評価と、睡眠ポリグラフ検査による呼吸状態の評価とを同時に行う比較実験を５０例行った。睡眠ポリグラフ検査では、脳波、心電図、胸部の動き、血中の酸素量、眼球運動などの各データに基づく評価方法を用いる。
【００８７】
図７は、５０例の各評価によるＡＨＩの値（評価値）を示しており、呼吸評価システムＡ１によるＡＨＩの評価値Ｎ１を横軸に示し、睡眠ポリグラフシステムによるＡＨＩの評価値Ｍ１を縦軸に示している。ＡＨＩ：１５以上を陽性と定義した場合、呼吸評価システムＡ１の評価精度（ＡＨＩのカットオフ値１５）は、感度９３％、特異度９５％と良好であった。さらに、評価値Ｎ１及び評価値Ｍ１について、ピアソンの相関係数は０．９４となり、評価値Ｎ１と評価値Ｍ１との相関は十分に高かった。
【００８８】
なお、データ処理部２３は、加速度信号Ｓ１ｘ、加速度信号Ｓ１ｙ、加速度信号Ｓ１ｚのそれぞれのパワースペクトルの二乗和平方根の値を求めて、この二乗和平方根の値を加速度パワーとしてもよい。
【００８９】
なお、本実施形態の解析システム２は、パーソナルコンピュータ以外で構成されてもよく、例えばスマートフォン、タブレット端末などの携行可能な情報端末であってもよい。この場合、解析システム２を評価施設に設ける必要はなく、対象者９が所有する情報端末によって、呼吸状態の評価を行うことができる。情報端末は、プロセッサ及びメモリ（コンピュータシステム）を内蔵しており、メモリには、プロセッサを解析システム２として動作させるためのアプリケーションのプログラムが記憶されている。そして、プロセッサがこのプログラムを実行することで、スマートフォン、タブレット端末など情報端末が解析システム２として動作する。
【００９０】
また、解析システム２が通知部２８を備えることは必須ではなく、通知部は、解析システム２とは別のシステムによって構成されてもよい。
【００９１】
（第１変形例）
データ処理部２３は、呼吸音データに対してＦＦＴを施して、呼吸音信号Ｓ２のサウンドスペクトログラム（Sound Spectrogram）を生成し、第３判定部２６は、このサウンドスペクトログラムに基づいて対象者９の呼吸運動に異常呼吸があるか否かを判定してもよい。
【００９２】
本変形例において、データ処理部２３は、時間軸及び周波数軸を圧縮したサウンドスペクトログラム（図８参照）を生成することで、サウンドスペクトログラムのデータ量を低減させている。データ処理部２３は、一定時間毎に一定区間のサンプルデータを所定の窓関数によって抽出し、抽出したサンプルデータにＦＦＴ処理を施すことで、サウンドスペクトログラムを生成する。
【００９３】
例えば、データ処理部２３は、呼吸音信号Ｓ２のサンプリング周波数が５ｋＨｚである場合、呼吸音信号Ｓ２について１０００点のサンプルデータ毎（０．２秒毎）に５１２点のサンプルデータを窓関数によって抽出する。そして、データ処理部２３は、抽出したサンプルデータにＦＦＴ処理を施し、２０−６３５Ｈｚの周波数範囲において９．７７Ｈｚ毎のパワースペクトルを求める。データ処理部２３は、上述のように求めたパワースペクトルの時系列データをサウンドスペクトログラムとする。このとき、データ処理部２３は、パワースペクトルを対数変換して、パワースペクトルの単位をｄＢにしている。なお、窓関数としては、例えばハニング窓が用いられる。
【００９４】
第３判定部２６は、サウンドスペクトログラムを解析して、対象者９の呼吸運動に異常呼吸があるか否かを判定する。
【００９５】
具体的に、第３判定部２６は、気管呼吸音の成分である４００−６００Ｈｚの周波数範囲における短時間パワー（ｄＢ）の移動平均曲線を求める。そして、第３判定部２６は、この移動平均曲線においてパワーの一過性の低下（例えば、１２ｄＢ以上の一過性の低下）があれば、異常呼吸イベントとして検出する。さらに、第３判定部２６は、異常呼吸イベントのうち、移動平均曲線のパワーが背景音＋５ｄＢ以下である異常呼吸イベントを無呼吸イベントとして検出する。また、第３判定部２６は、異常呼吸イベントのうち、移動平均曲線のパワーが背景音＋５ｄＢを上回る異常呼吸イベントを低呼吸イベントとして検出する。
【００９６】
さらに、第３判定部２６は、サウンドスペクトログラムを解析して、対象者９のいびき（いびきイベント）を検出することもできる。具体的に、第３判定部２６は、サウンドスペクトログラムを解析し、１００−３００Ｈｚにおけるピークパワースペクトルが８０ｄＢ／１０Ｈｚ以上であるか否かを判定する。そして、第３判定部２６は、１００−３００Ｈｚにおけるピークパワースペクトルが８０ｄＢ／１０Ｈｚ以上であれば、いびきイベントを検出する。
【００９７】
また、第３判定部２６は、サウンドスペクトログラムを解析して、対象者９の体位、体動、覚醒／睡眠状態を検出することも可能である。さらに、第３判定部２６は、サウンドスペクトログラムを解析して、いびきイベントと対象者の会話とを区別することも可能である。例えば、図８のサウンドスペクトログラムでは、時間ｔ１（５０分あたり）でサウンドスペクトログラムの時間変動が小さくなっており、第３判定部２６は、時間ｔ１で対象者９が覚醒状態から睡眠状態に移行したと判定できる。すなわち、第３判定部２６は、サウンドスペクトログラムを解析して、パワーに閾値以上の変化があった場合、対象者９の体位、体動、覚醒／睡眠状態のそれぞれを検出することが好ましい。この場合、パワーと比較される閾値は、検出対象（対象者９の体位、体動、覚醒／睡眠状態など）毎に設定される。
【００９８】
なお、第３判定部２６による対象者９の体位、体動、覚醒／睡眠状態の各検出処理は、人工知能、機械学習、深層学習などを用いることによって検出精度のさらなる向上を図ることができる。
【００９９】
また、第３判定部２６による各判定処理のうち一部の判定処理は、評価者がサウンドスペクトログラムを視覚的に確認することで評価者自身が判定してもよい。すなわち、第３判定部２６による各判定処理のうち一部の判定処理は、評価者による視覚的な判定処理に置き換えてもよい。
【０１００】
（第２変形例）
図８は、本実施形態の第２変形例の呼吸評価システムＡ２を示す。
【０１０１】
呼吸評価システムＡ２では、解析システム２はサーバ５に設けられている。すなわち、対象者９の自宅、医療施設などから離れた遠隔地に設置されているサーバ５が解析システム２として機能する。サーバ５は、インターネット及び公衆通信網などを含む広域ネットワークＮＴ１に接続している。さらに、広域ネットワークＮＴ１には、通知端末６が接続している。なお、呼吸評価システムＡ２は、広域ネットワークＮＴ１を構成要件には含まない。
【０１０２】
そして、データ収集システム１の通信ＩＦ１１３（図４参照）は、無線ルータ４を介して広域ネットワークＮＴ１に接続する。そして、通信ＩＦ１１３は、無線ルータ４、広域ネットワークＮＴ１を経由して、サーバ５と通信できる。したがって、データ収集システム１は、メモリ１１２ｈに格納している評価用データ（加速度データ及び呼吸音データ）を、通信ＩＦ１１３を介してサーバ５へ送信できる。
【０１０３】
サーバ５が有している解析システム２は、通信ＩＦ２１、メモリ２２、データ処理部２３、第１判定部２４、第２判定部２５、第３判定部２６、評価部２７を備える。通信ＩＦ２１は、広域ネットワークＮＴ１を経由して、通知端末６と通信できる。すなわち、通信ＩＦ２１は、広域ネットワークＮＴ１を経由して、評価部２７の評価結果（画像データなど）を通知端末６へ送信できる。
【０１０４】
通知端末６は、評価施設、または対象者９の自宅などに設けられたパーソナルコンピュータ、評価者（システム管理者、医療従事者、または対象者９）が所有するスマートフォン、タブレット端末、専用端末などである。そして、通知端末６は、モニタ装置を備えており、評価部２７の評価結果をモニタ装置の画面上に表示する。
【０１０５】
本変形例では、対象者９の評価用データを収集したデータ収集システム１を評価施設に持ち込む必要がなく、評価者の通知端末６に評価結果が送信される。したがって、評価に要する対象者９の負担を低減することがでる。この結果、対象者９が小児または高齢者であっても、睡眠時の呼吸状態の評価を気軽に受けることができる。
【０１０６】
また、解析システム２は、１台のサーバ５で実現される構成以外に、複数のサーバによるクラウドコンピューティングによって実現されてもよい。
【０１０７】
なお、上述の実施形態及び各変形例におけるデータ収集システム１、及び解析システム２は、コンピュータシステムを含むことが好ましい。この場合、コンピュータシステムは、ハードウェアとしてのプロセッサ及びメモリを主構成とする。コンピュータシステムのメモリに記録されたプログラムをプロセッサが実行することによって、本開示におけるデータ収集システム１、及び解析システム２の各機能の少なくとも一部が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０８】
上述のように、実施形態に係る第１の態様のデータ収集システム１は、対象者９の睡眠時の呼吸状態を評価するためのデータを収集する。データ収集システム１は、対象者９に取り付けられる収集装置１１と、対象者９に取り付けられて対象者９の呼吸音を集音し、集音した呼吸音に応じた信号である呼吸音信号をＳ２収集装置１１へ出力する集音装置１２と、を備える。収集装置１１は、対象者９の動きの加速度に応じた信号である加速度信号Ｓ１を生成する加速度センサ１１１と、加速度信号Ｓ１を加速度データとして記憶し、呼吸音信号Ｓ２を呼吸音データとして記憶するコントローラ１１２と、を有する。
【０１０９】
したがって、データ収集システム１は、従来に比べて対象者９の不快感が少なく、睡眠時の呼吸運動の評価を行うためのデータを簡易に収集できる。
【０１１０】
また、実施形態に係る第２の態様のデータ収集システム１では、第１の態様において、加速度センサ１１１は、３軸の加速度センサであることが好ましい。
【０１１１】
したがって、データ収集システム１では、対象者９の３軸方向の各呼吸運動に関する情報が加速度信号Ｓ１に含まれる。さらに、対象者９の体位に関する情報も加速度信号Ｓ１に含まれる。この結果、加速度データは、睡眠時の呼吸運動の評価を行うためのデータとして十分な情報量を有することができる。
【０１１２】
また、実施形態に係る第３の態様のデータ収集システム１では、第１または第２の態様において、集音装置１２は、呼吸音を集音するマイクロホン１２１と、マイクロホン１２１を対象者９の咽喉９１に取り付ける取付部１２２と、を備えることが好ましい。
【０１１３】
したがって、データ収集システム１は、集音装置１２を対象者９の咽喉９１に取り付けるだけで、呼吸音データを収集できる。この結果、集音装置１２が顔に取り付けられる場合に比べて、集音装置１２による対象者９の不快感を低減できる。
【０１１４】
上述のように、実施形態に係る第４の態様の呼吸評価システムＡ１，Ａ２は、対象者９について睡眠時の呼吸状態の評価を行う。呼吸評価システムＡ１，Ａ２は、第１乃至第３の態様のいずれか一つのデータ収集システム１と、加速度データ及び呼吸音データに基づいて、対象者９の睡眠時の呼吸状態を評価する解析システム２と、を備える。
【０１１５】
したがって、呼吸評価システムＡ１，Ａ２は、データ収集システム１が収集したデータ（評価用データ）に基づいて、対象者９の睡眠時の呼吸状態を評価することができる。
【０１１６】
また、実施形態に係る第５の態様の呼吸評価システムＡ１，Ａ２では、第４の態様において、呼吸評価システムＡ１，Ａ２は、第１判定部２４と、第２判定部２５と、第３判定部２６と、評価部２７と、を備える。第１判定部２４は、加速度データに基づいて、対象者９の呼吸運動に異常呼吸があるか否かを判定する。第２判定部２５は、加速度データに基づいて、対象者９の体位を判定する。第３判定部２６は、呼吸音データに基づいて、呼吸運動に異常呼吸があるか否かを判定する。評価部２７は、第１判定部２４、第２判定部２５、及び第３判定部２６の各判定結果に基づいて、対象者９の睡眠時の呼吸状態を評価する。
【０１１７】
したがって、呼吸評価システムＡ１，Ａ２では、評価部２７は、対象者９の体位と異常呼吸との対応関係を評価することができる。
【０１１８】
また、実施形態に係る第６の態様の呼吸評価システムＡ１，Ａ２では、第５の態様において、第２判定部２５は、加速度データに基づいて、対象者９が覚醒状態であるか否かをさらに判定することが好ましい。そして、評価部２７は、対象者９が覚醒状態である期間に対応する第１判定部２４及び第３判定部２６の各判定結果を、呼吸状態の評価に用いない。
【０１１９】
したがって、呼吸評価システムＡ１，Ａ２では、評価精度の向上を図ることができる。
【０１２０】
上述のように、実施形態に係る第７の態様の呼吸評価方法は、データ収集ステップと、解析ステップと、を備える。データ収集ステップでは、対象者９の動きの加速度のデータである加速度データ、及び対象者９の呼吸音のデータである呼吸音データを収集する。解析ステップでは、加速度データ及び呼吸音データに基づいて、対象者９の睡眠時の呼吸状態を評価する。
【０１２１】
したがって、呼吸評価方法は、データ収集システム１が収集したデータ（評価用データ）に基づいて、対象者９の睡眠時の呼吸状態を評価することができる。なお、本呼吸評価方法では、第１乃至第３の態様のいずれか一つのデータ収集システム１が加速度データ及び呼吸音データを収集することが好ましい。
【０１２２】
上述のように、実施形態に係る第８の態様のプログラムは、コンピュータシステムに、第７の態様の呼吸評価方法を実行させる。
【０１２３】
したがって、プログラムは、データ収集システム１が収集したデータ（評価用データ）に基づいて、対象者９の睡眠時の呼吸状態を評価することができる。
【０１２４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【０１２５】
Ａ１，Ａ２  呼吸評価システム
１  データ収集システム
１１  収集装置
１１０  ケース
１１１  加速度センサ
１１２  コントローラ
１２  集音装置
１２１  マイクロホン
１２２  取付部
２  解析システム
２４  第１判定部
２５  第２判定部
２６  第３判定部
２７  評価部
９  対象者
９１  咽喉
９２  胸部
Ｓ１  加速度信号
Ｓ２  呼吸音信号
【図１】
2019063200.tif 000003
【図２】
2019063200.tif 000004
【図３】
2019063200.tif 000005
【図４】
2019063200.tif 000006
【図５】
2019063200.tif 000007
【図６】
2019063200.tif 000008
【図７】
2019063200.tif 000009
【図８】
2019063200.tif 000010
【図９】
2019063200.tif 000011
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
対象者の睡眠時の呼吸状態を評価するためのデータを収集するデータ収集システムであって、
前記対象者に取り付けられる収集装置と、
前記対象者に取り付けられて前記対象者の呼吸音を集音し、集音した前記呼吸音に応じた信号である呼吸音信号を前記収集装置へ出力する集音装置と、を備え、
前記収集装置は、
前記対象者の動きの加速度に応じた信号である加速度信号を生成する加速度センサと、
前記加速度信号を加速度データとして記憶し、前記呼吸音信号を呼吸音データとして記憶するコントローラと、を有する
ことを特徴とするデータ収集システム。
【請求項２】
前記加速度センサは、３軸の加速度センサであることを特徴とする請求項１記載のデータ収集システム。
【請求項３】
前記集音装置は、
前記呼吸音を集音するマイクロホンと、
前記マイクロホンを前記対象者の咽喉に取り付ける取付部と、を備える
ことを特徴とする請求項１または２記載のデータ収集システム。
【請求項４】
対象者について睡眠時の呼吸状態の評価を行う呼吸評価システムであって、
請求項１乃至３のいずれか一項に記載のデータ収集システムと、
前記加速度データ及び前記呼吸音データに基づいて、対象者の睡眠時の呼吸状態を評価する解析システムと、を備える
ことを特徴とする呼吸評価システム。
【請求項５】
前記解析システムは、
前記加速度データに基づいて、前記対象者の呼吸運動に異常呼吸があるか否かを判定する第１判定部と、
前記加速度データに基づいて、前記対象者の体位を判定する第２判定部と、
前記呼吸音データに基づいて、前記呼吸運動に前記異常呼吸があるか否かを判定する第３判定部と、
前記第１判定部、前記第２判定部、及び前記第３判定部の各判定結果に基づいて、前記対象者の睡眠時の前記呼吸状態を評価する評価部と、を備える
ことを特徴とする請求項４記載の呼吸評価システム。
【請求項６】
前記第２判定部は、前記加速度データに基づいて、前記対象者が覚醒状態であるか否かをさらに判定し、
前記評価部は、前記対象者が覚醒状態である期間に対応する前記第１判定部及び前記第３判定部の各判定結果を、前記呼吸状態の評価に用いない
ことを特徴とする請求項５記載の呼吸評価システム。
【請求項７】
前記データ取集システムの前記加速度センサは、３軸の各方向の加速度にそれぞれ対応する３つの前記加速度信号を生成し、
前記データ取集システムの前記コントローラは、前記３つの加速度信号を加速度データとして記憶する
ことを特徴とする請求項５または６記載の呼吸評価システム。
【請求項８】
前記解析システムは、前記３つの加速度信号のそれぞれのパワースペクトルの和を加速度パワーとして求め、前記加速度パワーの時系列データを求めるデータ処理部をさらに備え、
前記第１判定部は、前記加速度パワーの時系列データに基づいて、前記対象者の呼吸運動に異常呼吸があるか否かを判定する
ことを特徴とする請求項７記載の呼吸評価システム。
【請求項９】
前記第１判定部は、前記加速度パワーの時系列データにおいて前記加速度パワーが下降した後に上昇している箇所から、前記異常呼吸が発生した異常呼吸イベントを検出する
ことを特徴とする請求項８記載の呼吸評価システム。
【請求項１０】
前記第１判定部は、前記箇所が複数ある場合、前記複数の箇所のうち、前記加速度パワーの下降速度、前記加速度パワーが下降し始めてから上昇し始めるまでの時間、前記加速度パワーの上昇速度、加速度パワーの下降脚と上昇脚の比、及び互いに隣接する一対の異常呼吸イベントの時間間隔のそれぞれが所定の条件を満たす箇所を、前記異常呼吸イベントとして検出することを特徴とする請求項９記載の呼吸評価システム。
【請求項１１】
前記データ処理部は、前記呼吸音データに対してＦＦＴを施して、前記呼吸音信号のサウンドスペクトログラムを生成し、
前記第３判定部は、前記サウンドスペクトログラムに基づいて前記対象者の呼吸運動に異常呼吸があるか否かを判定する
ことを特徴とする請求項８乃至１０のいずれか一項に呼吸評価システム。
【請求項１２】
前記第２判定部は、前記３つの加速度信号のうち、前記対象者の胴体の厚み方向の加速度に対応する加速度信号の時系列データに基づいて、前記対象者の体位を判定することを特徴とする請求項７乃至１１のいずれか一項に呼吸評価システム。
【請求項１３】
前記第１判定部及び前記第３判定部の少なくとも一方によって前記異常呼吸があると判定された場合、前記評価部は、前記異常呼吸があると判定することを特徴とする請求項５乃至１２のいずれか一項に呼吸評価システム。
【請求項１４】
前記第１判定部及び前記第３判定部によって前記異常呼吸があると判定された場合、前記評価部は、前記異常呼吸があると判定することを特徴とする請求項５乃至１２のいずれか一項に呼吸評価システム。
【請求項１５】
前記解析システムは、携行可能な情報端末に設けられることを特徴とする請求項４乃至１４のいずれか一つに記載の呼吸評価システム。
【請求項１６】
前記解析システムは、サーバに設けられることを特徴とする請求項４乃至１４のいずれか一つに記載の呼吸評価システム。
【請求項１７】
対象者の動きの加速度のデータである加速度データ、及び前記対象者の呼吸音のデータである呼吸音データを収集するデータ収集ステップと、
前記加速度データ及び前記呼吸音データに基づいて、対象者の睡眠時の呼吸状態を評価する解析ステップと、を備える
ことを特徴とする呼吸評価方法。
【請求項１８】
コンピュータシステムに、請求項１７記載の呼吸評価方法を実行させることを特徴とする
プログラム。
【手続補正２】
【補正対象書類名】明細書
【補正対象項目名】０１１９
【補正方法】変更
【補正の内容】
【０１１９】
したがって、呼吸評価システムＡ１，Ａ２では、評価精度の向上を図ることができる。
また、実施形態に係る第７の態様の呼吸評価システムＡ１，Ａ２では、第５または第６の態様において、データ取集システム１の加速度センサ１１１は、３軸の各方向の加速度にそれぞれ対応する３つの加速度信号Ｓ１ｘ、Ｓ１ｙ、Ｓ１ｚを生成することが好ましい。データ取集システム１のコントローラ１１２は、３つの加速度信号Ｓ１ｘ、Ｓ１ｙ、Ｓ１ｚを加速度データとして記憶する。
また、実施形態に係る第８の態様の呼吸評価システムＡ１，Ａ２では、第７の態様において、解析システム２は、データ処理部２３をさらに備えることが好ましい。データ処理部２３は、３つの加速度信号Ｓ１ｘ、Ｓ１ｙ、Ｓ１ｚのそれぞれのパワースペクトルの和を加速度パワーＰｒとして求め、加速度パワーＰｒの時系列データを求める。そして、第１判定部２４は、加速度パワーＰｒの時系列データに基づいて、対象者９の呼吸運動に異常呼吸があるか否かを判定する。
また、実施形態に係る第９の態様の呼吸評価システムＡ１，Ａ２では、第８の態様において、第１判定部２４は、加速度パワーＰｒの時系列データにおいて加速度パワーＰｒが下降した後に上昇している箇所から、異常呼吸が発生した異常呼吸イベントＤｎを検出する。
また、実施形態に係る第１０の態様の呼吸評価システムＡ１，Ａ２では、第９の態様において、第１判定部２４は、前記箇所が複数ある場合、前記複数の箇所のうち、加速度パワーＰｒの下降速度、加速度パワーＰｒが下降し始めてから上昇し始めるまでの時間、加速度パワーＰｒの上昇速度、加速度パワーＰｒの下降脚と上昇脚の比、及び互いに隣接する一対の異常呼吸イベントの時間間隔のそれぞれが所定の条件を満たす箇所を、異常呼吸イベントＤｎとして検出することが好ましい。
また、実施形態に係る第１１の態様の呼吸評価システムＡ１，Ａ２では、第８乃至１０の態様のいずれか一つにおいて、データ処理部２３は、呼吸音データに対してＦＦＴを施して、呼吸音信号のサウンドスペクトログラムを生成することが好ましい。そして、第３判定部２６は、サウンドスペクトログラムに基づいて対象者９の呼吸運動に異常呼吸があるか否かを判定する。
また、実施形態に係る第１２の態様の呼吸評価システムＡ１，Ａ２では、第７乃至１１の態様のいずれか一つにおいて、第２判定部２５は、３つの加速度信号Ｓ１ｘ、Ｓ１ｙ、Ｓ１ｚのうち、対象者９の胴体の厚み方向の加速度に対応する加速度信号の時系列データに基づいて、対象者９の体位を判定することが好ましい。
また、実施形態に係る第１３の態様の呼吸評価システムＡ１，Ａ２では、第５乃至１２の態様のいずれか一つにおいて、第１判定部２４及び第３判定部２６の少なくとも一方によって異常呼吸があると判定された場合、評価部２７は、異常呼吸があると判定することが好ましい。
また、実施形態に係る第１４の態様の呼吸評価システムＡ１，Ａ２では、第５乃至１２の態様のいずれか一つにおいて、第１判定部２４及び第３判定部２６によって異常呼吸があると判定された場合、評価部２７は、異常呼吸があると判定することが好ましい。
また、実施形態に係る第１５の態様の呼吸評価システムＡ１，Ａ２では、第４乃至１４の態様のいずれか一つにおいて、解析システム２は、携行可能な情報端末に設けられることが好ましい。
また、実施形態に係る第１６の態様の呼吸評価システムＡ１，Ａ２では、第４乃至１４の態様のいずれか一つにおいて、解析システム２は、サーバ５に設けられることが好ましい。
【手続補正３】
【補正対象書類名】明細書
【補正対象項目名】０１２０
【補正方法】変更
【補正の内容】
【０１２０】
上述のように、実施形態に係る第１７の態様の呼吸評価方法は、データ収集ステップと、解析ステップと、を備える。データ収集ステップでは、対象者９の動きの加速度のデータである加速度データ、及び対象者９の呼吸音のデータである呼吸音データを収集する。解析ステップでは、加速度データ及び呼吸音データに基づいて、対象者９の睡眠時の呼吸状態を評価する。
【手続補正４】
【補正対象書類名】明細書
【補正対象項目名】０１２２
【補正方法】変更
【補正の内容】
【０１２２】
上述のように、実施形態に係る第１８の態様のプログラムは、コンピュータシステムに、第１７の態様の呼吸評価方法を実行させる。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
対象者について睡眠時の呼吸状態の評価を行う呼吸評価システムであって、
前記対象者の睡眠時の前記呼吸状態を評価するための加速度データ及び呼吸音データを収集するデータ収集システムと、
前記加速度データ及び前記呼吸音データに基づいて、前記対象者の睡眠時の前記呼吸状態を評価する解析システムと、を備え、
前記データ収集システムは、
前記対象者に取り付けられる収集装置と、
前記対象者に取り付けられて前記対象者の呼吸音を集音し、集音した前記呼吸音に応じた信号である呼吸音信号を前記収集装置へ出力する集音装置と、を備え、
前記収集装置は、
前記対象者の動きの加速度に応じた信号である加速度信号を生成する加速度センサと、
前記加速度信号を前記加速度データとして記憶し、前記呼吸音信号を前記呼吸音データとして記憶するコントローラと、を有し、
前記加速度センサは、３軸の各方向の加速度にそれぞれ対応する３つの前記加速度信号を生成し、
前記コントローラは、前記３つの加速度信号を前記加速度データとして記憶し、
前記解析システムは、
前記加速度データに基づいて、前記対象者の呼吸運動に異常呼吸があるか否かを判定する第１判定部と、
前記加速度データに基づいて、前記対象者の体位を判定する第２判定部と、
前記呼吸音データに基づいて、前記呼吸運動に前記異常呼吸があるか否かを判定する第３判定部と、
前記第１判定部、前記第２判定部、及び前記第３判定部の各判定結果に基づいて、前記対象者の睡眠時の前記呼吸状態を評価する評価部と、
前記３つの加速度信号のそれぞれのパワースペクトルの和を加速度パワーとして求め、前記加速度パワーの時系列データを求めるデータ処理部と、を備え、
前記第１判定部は、前記加速度パワーの時系列データにおいて前記加速度パワーが下降した後に上昇している箇所から、前記異常呼吸が発生した異常呼吸イベントを検出する
ことを特徴とする呼吸評価システム。
【請求項２】
前記第２判定部は、前記加速度データに基づいて、前記対象者が覚醒状態であるか否かをさらに判定し、
前記評価部は、前記対象者が覚醒状態である期間に対応する前記第１判定部及び前記第３判定部の各判定結果を、前記呼吸状態の評価に用いない
ことを特徴とする請求項１記載の呼吸評価システム。
【請求項３】
前記第１判定部は、前記箇所が複数ある場合、前記複数の箇所のうち、前記加速度パワーの下降速度、前記加速度パワーが下降し始めてから上昇し始めるまでの時間、前記加速度パワーの上昇速度、加速度パワーの下降脚と上昇脚の比、及び互いに隣接する一対の異常呼吸イベントの時間間隔のそれぞれが所定の条件を満たす箇所を、前記異常呼吸イベントとして検出することを特徴とする請求項１または２記載の呼吸評価システム。
【請求項４】
前記データ処理部は、前記呼吸音データに対してＦＦＴを施して、前記呼吸音信号のサウンドスペクトログラムを生成し、
前記第３判定部は、前記サウンドスペクトログラムに基づいて前記対象者の前記呼吸運動に前記異常呼吸があるか否かを判定する
ことを特徴とする請求項１乃至３のいずれか一項に記載の呼吸評価システム。
【請求項５】
前記第２判定部は、前記３つの加速度信号のうち、前記対象者の胴体の厚み方向の加速度に対応する加速度信号の時系列データに基づいて、前記対象者の体位を判定することを特徴とする請求項１乃至４のいずれか一項に記載の呼吸評価システム。
【請求項６】
前記第１判定部及び前記第３判定部の少なくとも一方によって前記異常呼吸があると判定された場合、前記評価部は、前記異常呼吸があると判定することを特徴とする請求項１乃至５のいずれか一項に記載の呼吸評価システム。
【請求項７】
前記第１判定部及び前記第３判定部によって前記異常呼吸があると判定された場合、前記評価部は、前記異常呼吸があると判定することを特徴とする請求項１乃至５のいずれか一項に記載の呼吸評価システム。
【請求項８】
前記解析システムは、携行可能な情報端末に設けられることを特徴とする請求項１乃至７のいずれか一項に記載の呼吸評価システム。
【請求項９】
前記解析システムは、サーバに設けられることを特徴とする請求項１乃至７のいずれか一項に記載の呼吸評価システム。
【請求項１０】
請求項１乃至９のいずれか一項に記載の呼吸評価システムに用いられるデータ収集システムであって、
対象者に取り付けられる収集装置と、
前記対象者に取り付けられて前記対象者の呼吸音を集音し、集音した前記呼吸音に応じた信号である呼吸音信号を前記収集装置へ出力する集音装置と、を備え、
前記収集装置は、
前記対象者の動きの加速度に応じた信号である加速度信号を生成する加速度センサと、
前記加速度信号を加速度データとして記憶し、前記呼吸音信号を呼吸音データとして記憶するコントローラと、を有し、
前記加速度センサは、３軸の各方向の加速度にそれぞれ対応する３つの前記加速度信号を生成し、
前記コントローラは、前記３つの加速度信号を前記加速度データとして記憶する
ことを特徴とするデータ収集システム。
【請求項１１】
請求項１乃至９のいずれか一項に記載の呼吸評価システムに用いられる解析システムであって、
前記加速度データに基づいて、対象者の呼吸運動に異常呼吸があるか否かを判定する第１判定部と、
前記加速度データに基づいて、前記対象者の体位を判定する第２判定部と、
前記呼吸音データに基づいて、前記呼吸運動に前記異常呼吸があるか否かを判定する第３判定部と、
前記第１判定部、前記第２判定部、及び前記第３判定部の各判定結果に基づいて、前記対象者の睡眠時の呼吸状態を評価する評価部と、
前記３つの加速度信号のそれぞれのパワースペクトルの和を加速度パワーとして求め、前記加速度パワーの時系列データを求めるデータ処理部と、を備え、
前記第１判定部は、前記加速度パワーの時系列データにおいて前記加速度パワーが下降した後に上昇している箇所から、前記異常呼吸が発生した異常呼吸イベントを検出する
ことを特徴とする解析システム。
【請求項１２】
コンピュータシステムに、請求項１１記載の解析システムの前記第１判定部、前記第２判定部、前記第３判定部、前記評価部、及び前記データ処理部の各機能を実現させることを特徴とするプログラム。
【手続補正３】
【補正対象書類名】明細書
【補正対象項目名】０００１
【補正方法】変更
【補正の内容】
【０００１】
本発明は、呼吸評価システム、データ収集システム、解析システム、及びプログラムに関する。
【手続補正４】
【補正対象書類名】明細書
【補正対象項目名】０００６
【補正方法】変更
【補正の内容】
【０００６】
そこで、本発明の目的は、従来に比べて対象者の不快感が少なく、睡眠時の呼吸状態の評価を行うためのデータを簡易に収集できる呼吸評価システム、データ収集システム、解析システム、及びプログラムを提供することにある。
【手続補正５】
【補正対象書類名】明細書
【補正対象項目名】０００７
【補正方法】変更
【補正の内容】
【０００７】
本発明の一態様に係る呼吸評価システムは、対象者について睡眠時の呼吸状態の評価を行う呼吸評価システムであって、データ収集システムと、解析システムと、を備える。前記データ収集システムは、前記対象者の睡眠時の前記呼吸状態を評価するための加速度データ及び呼吸音データを収集する。前記解析システムは、前記加速度データ及び前記呼吸音データに基づいて、前記対象者の睡眠時の前記呼吸状態を評価する。前記データ収集システムは、前記対象者に取り付けられる収集装置と、前記対象者に取り付けられて前記対象者の呼吸音を集音し、集音した前記呼吸音に応じた信号である呼吸音信号を前記収集装置へ出力する集音装置と、を備える。前記収集装置は、前記対象者の動きの加速度に応じた信号である加速度信号を生成する加速度センサと、前記加速度信号を前記加速度データとして記憶し、前記呼吸音信号を前記呼吸音データとして記憶するコントローラと、を有する。前記加速度センサは、３軸の各方向の加速度にそれぞれ対応する３つの前記加速度信号を生成し、前記コントローラは、前記３つの加速度信号を前記加速度データとして記憶する。前記解析システムは、第１判定部と、第２判定部と、第３判定部と、評価部と、データ処理部と、を備える。前記第１判定部は、前記加速度データに基づいて、前記対象者の呼吸運動に異常呼吸があるか否かを判定する。前記第２判定部は、前記加速度データに基づいて、前記対象者の体位を判定する。前記第３判定部は、前記呼吸音データに基づいて、前記呼吸運動に前記異常呼吸があるか否かを判定する。前記評価部は、前記第１判定部、前記第２判定部、及び前記第３判定部の各判定結果に基づいて、前記対象者の睡眠時の前記呼吸状態を評価する。前記データ処理部は、前記３つの加速度信号のそれぞれのパワースペクトルの和を加速度パワーとして求め、前記加速度パワーの時系列データを求める。前記第１判定部は、前記加速度パワーの時系列データにおいて前記加速度パワーが下降した後に上昇している箇所から、前記異常呼吸が発生した異常呼吸イベントを検出する。
【手続補正６】
【補正対象書類名】明細書
【補正対象項目名】０００８
【補正方法】変更
【補正の内容】
【０００８】
本発明の一態様に係るデータ収集システムは、上述の呼吸評価システムに用いられるデータ収集システムであって、対象者に取り付けられる収集装置と、集音装置と、を備える。前記集音装置は、前記対象者に取り付けられて前記対象者の呼吸音を集音し、集音した前記呼吸音に応じた信号である呼吸音信号を前記収集装置へ出力する。前記収集装置は、前記対象者の動きの加速度に応じた信号である加速度信号を生成する加速度センサと、前記加速度信号を加速度データとして記憶し、前記呼吸音信号を呼吸音データとして記憶するコントローラと、を有する。前記加速度センサは、３軸の各方向の加速度にそれぞれ対応する３つの前記加速度信号を生成し、前記コントローラは、前記３つの加速度信号を前記加速度データとして記憶する。
【手続補正７】
【補正対象書類名】明細書
【補正対象項目名】０００９
【補正方法】変更
【補正の内容】
【０００９】
本発明の一態様に係る解析システムは、上述の呼吸評価システムに用いられる解析システムであって、第１判定部と、第２判定部と、第３判定部と、評価部と、データ処理部と、を備える。前記第１判定部は、前記加速度データに基づいて、対象者の呼吸運動に異常呼吸があるか否かを判定する。前記第２判定部は、前記加速度データに基づいて、前記対象者の体位を判定する。前記第３判定部は、前記呼吸音データに基づいて、前記呼吸運動に前記異常呼吸があるか否かを判定する。前記評価部は、前記第１判定部、前記第２判定部、及び前記第３判定部の各判定結果に基づいて、前記対象者の睡眠時の呼吸状態を評価する。前記データ処理部は、前記３つの加速度信号のそれぞれのパワースペクトルの和を加速度パワーとして求め、前記加速度パワーの時系列データを求める。そして、前記第１判定部は、前記加速度パワーの時系列データにおいて前記加速度パワーが下降した後に上昇している箇所から、前記異常呼吸が発生した異常呼吸イベントを検出する。
【手続補正８】
【補正対象書類名】明細書
【補正対象項目名】００１０
【補正方法】変更
【補正の内容】
【００１０】
本発明の一態様に係るプログラムは、コンピュータシステムに、上述の解析システムの前記第１判定部、前記第２判定部、前記第３判定部、前記評価部、及び前記データ処理部の各機能を実現させる。
【手続補正９】
【補正対象書類名】明細書
【補正対象項目名】００１３
【補正方法】変更
【補正の内容】
【００１３】
本実施形態は、呼吸評価システム、データ収集システム、解析システム、及びプログラムに関する。より詳細には、本実施形態は、睡眠時の呼吸状態を評価するための呼吸評価システム、データ収集システム、解析システム、及びプログラムに関する。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
対象者について睡眠時の呼吸状態の評価を行う呼吸評価システムであって、
前記対象者の睡眠時の前記呼吸状態を評価するための加速度データ及び呼吸音データを収集するデータ収集システムと、
前記加速度データ及び前記呼吸音データに基づいて、前記対象者の睡眠時の前記呼吸状態を評価する解析システムと、を備え、
前記データ収集システムは、
前記対象者に取り付けられる収集装置と、
前記対象者に取り付けられて前記対象者の呼吸音を集音し、集音した前記呼吸音に応じた信号である呼吸音信号を前記収集装置へ出力する集音装置と、を備え、
前記収集装置は、
前記対象者の動きの加速度に応じた信号である加速度信号を生成する加速度センサと、
前記加速度信号を前記加速度データとして記憶し、前記呼吸音信号を前記呼吸音データとして記憶するコントローラと、を有し、
前記加速度センサは、３軸の各方向の加速度にそれぞれ対応する３つの前記加速度信号を生成し、
前記コントローラは、前記３つの加速度信号を前記加速度データとして記憶し、
前記解析システムは、
前記加速度データに基づいて、前記対象者の呼吸運動に異常呼吸があるか否かを判定する第１判定部と、
前記加速度データに基づいて、前記対象者の体位を判定する第２判定部と、
前記呼吸音データに基づいて、前記呼吸運動に前記異常呼吸があるか否かを判定する第３判定部と、
前記第１判定部、前記第２判定部、及び前記第３判定部の各判定結果に基づいて、前記対象者の睡眠時の前記呼吸状態を評価する評価部と、
前記３つの加速度信号のそれぞれのパワースペクトルの和を加速度パワーとして求め、前記加速度パワーの時系列データを求めるデータ処理部と、を備え、
前記第１判定部は、前記加速度パワーの時系列データにおいて前記加速度パワーが下降した後に上昇している箇所から、前記異常呼吸が発生した異常呼吸イベントを検出する
ことを特徴とする呼吸評価システム。
【請求項２】
前記第２判定部は、前記加速度データに基づいて、前記対象者が覚醒状態であるか否かをさらに判定し、
前記評価部は、前記対象者が覚醒状態である期間に対応する前記第１判定部及び前記第３判定部の各判定結果を、前記呼吸状態の評価に用いない
ことを特徴とする請求項１記載の呼吸評価システム。
【請求項３】
前記第１判定部は、前記箇所が複数ある場合、前記複数の箇所のうち、前記加速度パワーの下降速度、前記加速度パワーが下降し始めてから上昇し始めるまでの時間、前記加速度パワーの上昇速度、加速度パワーの下降脚と上昇脚の比、及び互いに隣接する一対の異常呼吸イベントの時間間隔のそれぞれが所定の条件を満たす箇所を、前記異常呼吸イベントとして検出することを特徴とする請求項１または２記載の呼吸評価システム。
【請求項４】
前記データ処理部は、前記呼吸音データに対してＦＦＴを施して、前記呼吸音信号のサウンドスペクトログラムを生成し、
前記第３判定部は、前記サウンドスペクトログラムに基づいて前記対象者の前記呼吸運動に前記異常呼吸があるか否かを判定する
ことを特徴とする請求項１乃至３のいずれか一項に記載の呼吸評価システム。
【請求項５】
前記第２判定部は、前記３つの加速度信号のうち、前記対象者の胴体の厚み方向の加速度に対応する加速度信号の時系列データに基づいて、前記対象者の体位を判定することを特徴とする請求項１乃至４のいずれか一項に記載の呼吸評価システム。
【請求項６】
前記第１判定部及び前記第３判定部の少なくとも一方によって前記異常呼吸があると判定された場合、前記評価部は、前記異常呼吸があると判定することを特徴とする請求項１乃至５のいずれか一項に記載の呼吸評価システム。
【請求項７】
前記第１判定部及び前記第３判定部によって前記異常呼吸があると判定された場合、前記評価部は、前記異常呼吸があると判定することを特徴とする請求項１乃至５のいずれか一項に記載の呼吸評価システム。
【請求項８】
前記解析システムは、携行可能な情報端末に設けられることを特徴とする請求項１乃至７のいずれか一項に記載の呼吸評価システム。
【請求項９】
前記解析システムは、サーバに設けられることを特徴とする請求項１乃至７のいずれか一項に記載の呼吸評価システム。
【請求項１０】
請求項１乃至９のいずれか一項に記載の呼吸評価システムに用いられる解析システムであって、
前記加速度データに基づいて、対象者の呼吸運動に異常呼吸があるか否かを判定する第１判定部と、
前記加速度データに基づいて、前記対象者の体位を判定する第２判定部と、
前記呼吸音データに基づいて、前記呼吸運動に前記異常呼吸があるか否かを判定する第３判定部と、
前記第１判定部、前記第２判定部、及び前記第３判定部の各判定結果に基づいて、前記対象者の睡眠時の呼吸状態を評価する評価部と、
前記３つの加速度信号のそれぞれのパワースペクトルの和を加速度パワーとして求め、前記加速度パワーの時系列データを求めるデータ処理部と、を備え、
前記第１判定部は、前記加速度パワーの時系列データにおいて前記加速度パワーが下降した後に上昇している箇所から、前記異常呼吸が発生した異常呼吸イベントを検出する
ことを特徴とする解析システム。
【請求項１１】
コンピュータシステムに、請求項１０記載の解析システムの前記第１判定部、前記第２判定部、前記第３判定部、前記評価部、及び前記データ処理部の各機能を実現させることを特徴とするプログラム。
【手続補正３】
【補正対象書類名】明細書
【補正対象項目名】０００１
【補正方法】変更
【補正の内容】
【０００１】
本発明は、呼吸評価システム、解析システム、及びプログラムに関する。
【手続補正４】
【補正対象書類名】明細書
【補正対象項目名】０００６
【補正方法】変更
【補正の内容】
【０００６】
そこで、本発明の目的は、従来に比べて対象者の不快感が少なく、睡眠時の呼吸状態の評価を行うためのデータを簡易に収集できる呼吸評価システム、解析システム、及びプログラムを提供することにある。
【手続補正５】
【補正対象書類名】明細書
【補正対象項目名】０００８
【補正方法】削除
【補正の内容】
【手続補正６】
【補正対象書類名】明細書
【補正対象項目名】００１３
【補正方法】変更
【補正の内容】
【００１３】
本実施形態は、呼吸評価システム、解析システム、及びプログラムに関する。より詳細には、本実施形態は、睡眠時の呼吸状態を評価するための呼吸評価システム、解析システム、及びプログラムに関する。